(57)【要約】      （修正有）【課題】身体のどこにでも吊り下げられ、非常時には極く簡単な操作によって迅速にホイッスルとして用いられ、衛生的で、且つサイズを小型化できるホイッスルを提供する。【解決手段】一端面１２に開口する凹部１４を内設するケース２と、凹部１４内に進入可能な凸部１６を含むホイッスル本体１５と、を備える。ケース２は、全体が扁平な角筒形状を呈し、凹部１４を挟む両側面５ａ，５ｂの何れか一方に沿って設けた平面視がＬ字形状の受け入れ溝９と、受け入れ溝９と平行状に形成された係止解除片８とを有している。ホイッスル本体１５は、一端面に吹き込み孔１７を有する凸部１６と、吹き込み孔１７に連通するエア流路と、凸部１６の表面に開口し且つエア流路に連通するエア排出孔１９と、凸部１６の他端側に連設され且つエア流路に連通する共鳴室を内設する筒状部２０と、凸部１６の両側面１８ａ，１８ｂの何れか一方に設けられ且つケース２の受け入れ溝９内に進入可能で且つ内外方向に沿って弾性変形が可能な係止脚２１と、を備えている。【選択図】図２
0003197253.tif 000002
【実用新案登録請求の範囲】
【請求項１】
一端面(１２)に開口する凹部(１４)を内設するケース(２)と、該凹部(１４)内に進入可能な凸部(１６)を含むホイッスル本体(１５)と、を備えたホイッスル(１ａ，１ｂ)であって、
上記ケース(２)は、全体が扁平な筒形状を呈し且つ上記凹部(１４)を内設し、該凹部(１４)を挟む両側面(５ａ，５ｂ)の何れか一方に沿って設けた平面視がＬ字形状の受け入れ溝(９)と、該受け入れ溝(９)と平行状に形成された係止解除片(８)とを有しており、
上記ホイッスル本体(１５)は、全体が扁平な筒形状を呈し且つ一端面に吹き込み孔(１７)を有する上記凸部(１６)と、前記吹き込み孔(１７)に連通するエア流路(ａｆ)と、前記凸部(１６)の表面または裏面に開口し且つ前記エア流路(ａｆ)に連通するエア排出孔(１９)と、上記凸部(１６)の他端側に連設され且つ上記エア流路(ａｆ)に連通する共鳴室(２０ａ)を内設する筒状部(２０)と、上記凸部(１６)の両側面(１８ａ，１８ｂ)の何れか一方に設けられ且つ上記ケース(２)の受け入れ溝(９)内に進入可能で且つ内外方向に沿って弾性変形が可能な係止脚(２１)と、を備えている、
ことを特徴とするホイッスル(１ａ，１ｂ)。
【請求項２】
前記ケース(２)の受け入れ溝(９)における前記一端面側の段部(１１)に、前記ホイッスル本体(１５)の係止脚(２１)の先端側に外向側きに突設された係止片(２３)が当接することで、該係止片(２３)を含む係止脚(２１)が受け入れ溝(９)から抜け出し不能となり、上記ケース(２)の前記係止解除片(８)を受け入れ溝(９)側に押圧して係止片(２３)を上記段部(１１)から離脱させて、上記係止脚(２１)の抜け出し不能状態を解除できる、
ことを特徴とする請求項１に記載のホイッスル(１ａ，１ｂ)。
【請求項３】
前記ケース(２)の凹部(１４)が開口する一端面(１２)と反対側の他端側(６)には、クリップ(Ｃ)またはストラップ(Ｓ)が挿通する通し孔(７)が形成されている、
ことを特徴とする請求項１または２に記載のホイッスル(１ａ，１ｂ)。
【考案の詳細な説明】
【技術分野】
【０００１】
本考案は、例えば、首から吊り下げたストラップなどに自在に取り付けられ、非常時には極く短時間に警笛音を発信できる著しく小型のホイッスルに関する。
【背景技術】
【０００２】
工事現場などの作業時や登山などの野外活動の際に、事故などの緊急の連絡や救助を迅速に求めるため、例えば、ヘルメット用の顎掛けベルトのバックルを構成する雄型バックル本体または雌型バックル本体の何れか一方に、ホイッスルを、一体的に、スライド可能に、あるいは、格納可能にして併設したホイッスル付きバックルの発明や係るバックルの意匠が提案されている（例えば、特許文献１〜４参照）。
【０００３】
そこで、出願人は、ホイッスルに塵埃などが付着しにくく、長期間にわたり安定して所要の音を発信でき、且つ衛生的に保てると共に、全体も小型化し得るホイッスル内蔵バックルの発明を先に提案した（特願２０１３−２７０６７１）。
しかし、上記ホイッスル内蔵バックルは、腰ベルト、あるいは肩ベルトの中間やヘルメットの顎掛けベルトなどの中間に取り付けるため、非常時にホイッスルとして用いるためには若干時間を要する。しかも、係るホイッスル内蔵バックルは、両端部にベルトの端部などに取り付ける部分などが必要となるので、全体のサイズもそれなりに大きくなる、という難点があった。
【先行技術文献】
【特許文献】
【０００４】
【特許文献１】米国特許第６６６８４２８号公報（第１〜７頁、図１〜１１）
【特許文献２】特許第４９０４３３３号公報（第１〜１４頁、図２〜２３）
【特許文献３】意匠登録第１４４２５１０号公報（第１〜７頁）
【特許文献４】意匠登録第１５０７８６９号公報（第１〜７頁）
【考案の概要】
【考案が解決しようとする課題】
【０００５】
本考案は、背景技術において説明した問題点を解決し、身体のどこにでも容易に吊り下げられ、非常時には極く簡単な操作によって迅速（短時間）にホイッスルとして用いれ、衛生的であり、且つ全体のサイズを従来のホイッスルよりも一層小型化できるホイッスルを提供する、ことを課題とする。
【課題を解決するための手段および考案の効果】
【０００６】
本考案は、前記課題を解決するため、ホイッスル本体をケースの凹部に進入可能な凸部と共鳴室を内設する筒状部とから構成し、且つ上記ホイッスル本体の凸部とケースの凹部との係止手段を両者における何れか一方の側面にのみ配設する、ことに着想して成されたものである。
即ち、本考案のホイッスル（請求項１）は、一端面に開口する凹部を内設するケースと、該凹部内に進入可能な凸部を含むホイッスル本体と、を備えたホイッスルであって、上記ケースは、全体が扁平な筒形状を呈し且つ上記凹部を内設し、該凹部を挟む両側面の何れか一方に沿って設けた平面視がＬ字形状の受け入れ溝と、該受け入れ溝と平行状に形成された係止解除片とを有しており、上記ホイッスル本体は、全体が扁平な角筒形状を呈し且つ一端面に吹き込み孔を有する上記凸部と、該吹き込み孔に連通するエア流路と、前記凸部の表面または裏面に開口し且つ前記エア流路に連通するエア排出孔と、上記凸部の他端側に連設され且つ上記エア流路に連通する共鳴室を内設する筒状部と、上記凸部の両側面の何れか一方に設けられ且つ上記受け入れ溝内に進入可能で且つ内外方向に沿って弾性変形が可能な係止脚と、を備えている、ことを特徴とする。
【０００７】
これによれば、前記ホイッスル本体における凸部の両側面の何れか一方に設けられ且つ弾性変形が可能な係止脚が、前記ケースの受け入れ溝内に進入可能で且つ内外方向に沿って弾性変形が可能とされているので、以下の効果（１）〜（４）を奏することが可能である。
（１）非常時において、前記ケースの凹部から前記ホイッスル本体の凸部を抜き出すには、該ホイッスル本体の係止脚の先端側を、ケースの受け入れ溝における一端側の段部から外し、係る状態でホイッスル本体の筒状部を指先で掴んで引き抜くという２つの極く簡単で且つ片手でも可能な操作によって、著しく短時間（約１〜２秒）で且つ簡単にホイッスルとして、使用することが可能となる。
（２）前記ホイッスル本体の係止脚と、該係止脚が進入する前記ケースの受け入れ溝とが、それぞれ前記凸部および凹部の何れか一方の側面側にのみ形成されているので、ホイッスル全体のサイズを可及的に小型化することが可能となる。
（３）前記ホイッスル本体は、吹き込み孔を有する前記凸部が前記ケースの凹部内に進入して格納されているので、塵埃などが付着しにくく衛生的である。
（４）前記ケースおよびホイッスル本体は、例えば、合成樹脂の射出成形によって、低コストにて精度良く量産することが容易なため、軽量で小さな本ホイッスルを安価にして提供することが可能となる。
【０００８】
尚、前記ケースの凹部は、該ケースの外形である前記筒形状（例えば、角筒形状など）と同様な形状の中空部である。
また、上記ケースの凹部は、該凹部の開口部側の断面積に対し、奥（他端面）側に向かってその面積が若干小さくなるような形態が望ましい。
更に、前記ホイッスル本体の凸部も、前記筒状体側の他端側から一端面側に向かって、断面積が適宜小さくなるような形態が望ましい。
また、前記ホイッスル本体の筒状体は、外形および共鳴室が互いにほぼ相似形状である後述する円筒形の他、四角柱、または五角柱以上の多角柱としても良い。
加えて、上記筒状体は、前記ケースから抜き出す操作を容易にするため、当該筒状体の軸方向に沿った長さを、前記ケースの凸部の断面における長辺の長さと少なくとも同様であるか、該長辺の長さよりも若干長くすることが望ましい。
【０００９】
また、本考案には、前記ケースの受け入れ溝における前記一端面側の段部に、前記ホイッスル本体の係止脚の先端側に外向側きに突設された係止片が当接することで、該係止片が受け入れ溝から抜け出し不能となり、上記ケースの前記係止解除片を係止溝側に押圧して係止片を上記段部から離脱させて、上記係止脚の抜け出し不能（係止）状態を解除できる、ホイッスル（請求項２）も含まれる。
これによれば、一本の指先によって、上記ケースの係止解除片を受け入れ溝側に押圧して係止片を段部から離脱させることで、受け入れ溝における一端面側の段部に当接していた上記係止脚の抜け出し不能状態を、瞬時で簡単に解除できる。
従って、前記効果（１）を一層確実に奏することが可能となる。
【００１０】
更に、本考案には、前記ケースの凹部が開口する一端面と反対側の他端側には、クリップまたはストラップが挿通する通し孔が形成されている、ホイッスル（請求項３）も含まれる。
これによれば、予め上記通し孔に一部分を挿通したクリップ、該クリップの内側にストラップを挿通するか、あるいは、該通し孔に直にストラップを挿通することで、本ホイッスルを、例えば、首周りから吊り下げて仕事をしたり、腰のベルトから任意の方向に吊り下げて携行にしつつ使用する事が可能となる。
尚、前記通し孔には、ネックレスやスカーフや紐状物などを挿通しても良い。
【図面の簡単な説明】
【００１１】
【図１】本考案による一形態のホイッスルを示す斜視図。
【図２】上記ホイッスルを構成するケースおよびホイッスル本体を示す分解斜視図。
【図３】上記ホイッスルのケースにおける一端面側を示す斜視図。
【図４】（Ａ）は図１中のＸ−Ｘ線の矢視に沿った水平断面図、（Ｂ）はその要部の機能を示す概略図。
【図５】図１中のＹ−Ｙ線の矢視に沿った垂直断面図。
【図６】図４（Ａ）においてケースからホイッスル本体の凸部を抜き出した状態を示す水平断面図。
【図７】図５においてケースからホイッスル本体の凸部を抜き出した状態を示す垂直断面図。
【図８】（Ａ）〜（Ｃ）は上記ホイッスルの使用方法を示す概略図、（Ｄ）は異なる使用方法を示す概略図。
【図９】本考案による異なる形態のホイッスルを示す斜視図。
【考案を実施するための形態】
【００１２】
以下において、本考案を実施するための形態について説明する。
図１は、本考案による一形態のホイッスル１ａを示す斜視図、図２は、該ホイッスル１ａを構成するケース２とホイッスル本体１５との分解斜視図、図３は、ケース２の一端面１２側からの視覚による斜視図である。
上記ホイッスル１ａは、ケース２とホイッスル本体１５とから構成されている。
上記ケース２は、図１〜図３に示すように、全体が扁平な角筒形状（筒形状）を呈し、互いに一体の正面３、背面４、両側面５ａ，５ｂ、および上端側（他端側）６からなり、これらに囲まれ且つ下端面（一端面）１２に開口する凹部１４を内設している。上記ケース２の正面３は、断面が緩やかにカーブする長方形状で、その表面には、正面３側を示すＬ字形状の浅い模様３ａが形成されている。
【００１３】
また、半長円筒形状を呈する上端側６には、その正面３側と背面４側との間を貫通する平面視が長半円形状の通し孔７が形成され、該通し孔７には、薄い金属帯板を曲げ加工してなり、長円形の挿通孔を有するクリップＣが挿通されている。
更に、図１，図２で右側の側面５ａには、平面視で全体がＬ字形状を呈し、係る側面５ａと平行状の長溝９ａと、その一端から直角に曲がる短溝９ｂとかなる受け入れ溝９を挟んで、長溝９ａと平行状で且つ細長い係止解除片８が形成されている。一方、上記短溝９ｂは、一端が上記側面５ａに開口し、且つ下端面１２側の側面５ａとの間には、該側面５ａの肉厚相当分の段部１１が位置している。尚、上記係止解除片８の先端部８ａは、内側の曲面を含む先細形状とされている。
図２，図３に示すように、受け入れ溝９と凹部１４との間には、正面３側と背面４側との間を接続する仕切壁１０ａが形成され、該仕切壁１０ａには、一端面１２側に開口する長方形状の案内溝１０が形成されている。該案内溝１０は、図１に示すように、ケース２の凹部１４内にホイッスル本体１５の凸部１６を進入させた際、その係止脚２１を受け入れ溝９内に挿入して案内するものである。
【００１４】
一方、ホイッスル本体１５は、図１，図２に示すように、全体が扁平な角筒形状（筒形状）を呈する凸部１６と、該凸部１６の下端側（他端側）に連設される全体が円筒形状の筒状部２０とからなる一体物である。上記凸部１６は、長方形状の表面１６ａ、裏面１６ｂ、および両側面１８ａ，１８ｂにより構成され、その上端側（一端側）には、エア（空気）の吹き込み孔１７が開口し、該吹き込み孔１７は、当該凸部１６の内部をその軸方向に沿って貫通するエア流路ａｆと連通している。該エア流路ａｆは、凸部１６の表面１６ａに開口するエア排出孔１９と、図４(Ａ)の水平断面図で示すように、上記筒状部２０に内設された共鳴室２０ａとに連通している。即ち、凸部１６の上端側を唇に挟み、吹き込み孔１７からエアを吹き込むと、該エアは、エア流路ａｆを通過し且つ一部がエア排出孔１９から出された後、筒状部２０内の共鳴室２０ａ内に吹き込まれ、所定の音響を発生させる笛となる。
尚、上記エア排出孔１９は、凸部１６の裏面１６ｂ側に開口していても良い。また、上記共鳴室２０ａは、外側の筒状部２０とほぼ相似形の円柱形である。更に、筒状部２０の軸方向の長さは、前記ケース２の幅と同様な寸法であるため、図２に示すように、係止脚２１が突出する側が凸部１６よりも外側に延びている。
【００１５】
また、図２において、前記凸部１６における右側の側面１８ａには、その上端側から下端側に向かって斜め外向きにカーブして延びる係止脚２１が、円弧状部を含む隙間２２を挟んで突設されている。係る係止脚２１は、図２，図４（Ａ）に示すように、先細形状であり、その先端側に外側向きに突設された平面視が直角三角形状の係止片２３と、該係止片２３よりも先に延びた先端部２４とを有している。係る係止脚２１は、図４（Ｂ）の部分水平断面図に示すように、その先端側に至るほど内外方向に沿って大きく弾性変形し易くなっている。
尚、前記ケース２やホイッスル本体１５は、例えば、ポリアセタール（ＰＯＭ）、ポリイミド、ポリエチレン、ポリプロピレンなどの合成樹脂を射出成形することで得られるが、ポリカーボネートなどのエンジニアプラスチック、アルミニウム合金などの軽金属、あるいは、硬質のセラミックから形成しても良い。
【００１６】
以上のようなホイッスル本体１５は、通常の場合、図１，図４（Ａ），図５に示すように、その凸部１６を、ケース２の凹部１４内に進入させると共に、その係止脚２１を案内溝１０内に斜めに交叉しつつ貫通し、且つ該係止脚２１の先端側を係止溝９の長溝９ａ内に進入させている。そして、上記凸部１６をケース２の凹部１４の最奥側に進入させた際に、図１，図４（Ａ）に示すように、上記係止脚２１における先端側の係止片２３が、ケース２の短溝９ｂ内に進入し且つ係止脚８の先端部８ａと段部１１とに挟まれる。この際、ケース２の側面５ａと直交する係止片２３の垂直面が段部１１に当接し且つ先端部２４が側面５ａの内壁面に面接触するため、係る係止片２３を含む係止脚２１は、係止溝９から抜け出し不能となっている。即ち、ホイッスル本体１５の凸部１６が、ケース２の凹部１４から抜け出し不能の状態で格納される。
そして、通常の場合、例えば、図８（Ａ）に示すように、前記クリップＣに挿通したストラップＳを使用者Ｆの首Ｎに巻き付けると、前記ホイッスル１ａは、ケース２の正面３を外側向きにして胸または鳩尾付近に吊り下げて携行される。
【００１７】
ところで、事故や遭難などの緊急事態を連絡する必要が発生した場合、図４（Ａ）中の白抜き矢印イで示すように、前記ケース２の係止解除片８の先端部８ａ側を、受け入れ溝９の長溝９ａ側に、例えば、右手の親指で押圧する。
すると、図４（Ｂ）に示すように、係止解除片８の先端部８ａ側が受け入れ溝９の長溝９ａ側に弾性変形し、係る係止解除片８に押されるので、ホイッスル本体１５の係止脚２１が内側向きに弾性変形する。その結果、係止脚２１の係止片２３も段部１１との当接状態から解除されるので、係る係止片２３を含む係止脚２１は、受け入れ溝９から抜け出し可能な状態となる。
係る状態で、図４（Ａ）、図５中の白抜き矢印ロで示すように、上記ホイッスル本体１５の筒状部２０を、同じ右手の人差し指ないし小指で掴み、該ホイッスル本体１５の凸部１６を、係止脚２１と共に、ケース２の前記凹部１４内から外側（下側）に抜き出す。
【００１８】
その結果、図６，図７，図８（Ｂ）に示すように、ホイッスル本体１５の凸部１６と係止脚２１が、ケース２の前記凹部１４内から外部に出されるので、係るホイッスル本体１５は、ケース２や前記ストラップＳからフリーの状態となる。
そこで、図８（Ｃ）に示すように、フリーとなったホイッスル本体１５の凸部１６の吹き込み孔１７を使用者の唇に加え、且つ息（エア）を吹き込むことによって、周囲や離れた位置の作業者などに対し、例えば、緊急事態の発生を知らせる警笛を、約数秒程度の短時間（ほぼ瞬時）で発音することが可能となる。
従って、前記のようなホイッスル１ａによれば、前述した効果（１）〜（４）を確実に奏することができる。
【００１９】
尚、前記ホイッスル１ａは、例えば、図８（Ｄ）に示すように、使用者のズボンＺのベルトＢに吊り下げたり、使用者の肩から吊り下げて携行することで、非常時には、前記イ、ロの操作を行うことにより、前記のような緊急事態の発生を知らせる警笛を、前記同様の短時間で発音させることもできる。
即ち、ホイッスル１ａは、前記クリップＣに挿通したストラップＳや図示しない紐状物によって、使用者の身体における吊り下げ可能なあらゆる部分から吊り下げて携行することができ、且つ種々の作業に支障を招くことも皆無である。
【００２０】
図９は、異なる形態のホイッスル１ｂを示す斜視図である。
係るホイッスル１ｂは、図９に示すように、図示でケース２における左側の側面５ｂ側に、前記同様の係止解除脚８、受け入れ溝９、段部１１などが前記形態（１ａ）とは鏡面対称にして配置されている。また、ホイッスル本体１５も、その凸部１６の左側の側面１８ｂ側に、前記係止脚２１が前記形態（１ａ）とは鏡面対称に配置されている。
そのため、上記ホイッスル１ｂを、例えば、図８（Ａ）で示したように、ストラップＳを介して首Ｎから吊り下げて携行した場合、前記操作イ、ロを左手の親指やその他の指で行うことにより、図８（Ｂ）のように、ホイッスル本体１５をケース２から抜き出した後、図８（Ｃ）のように、係るホイッスル本体１５を唇に挟んで、前記同様に短時間で警笛を鳴らすことができる。
上記のようなホイッスル１ｂは、特に、左利きの使用者には好適である。
【００２１】
本考案は、以上において説明した各形態に限定されるものではない。
例えば、前記ケースの外形および凹部やホイッスル本体の凸部は、前記角筒形状に限らず、それらの長手方右と直交する断面が楕円形状や長円形状や木の葉形状となる扁平な筒形状を呈する形態としても良い。
また、前記ケース２の仕切壁１０ａおよび案内溝１０は、省略しても良い。
更に、前記ケース２の通し孔７には、前記クリップＣを挿通せず、ストラブＳや紐状物を直に挿通させても良い。
また、前記ホイする本体１５の筒状部は、前記円筒形の形態（２０）や多角柱状の形態に限らず、球形、楕円球形、長円球形などの外形を呈する形態とし、内設する共鳴室もこれらとほぼ相似形としても良い。
加えて、前記ホイッスル１ａ，１ｂのように、右利き専用や左利き専用とせずに、係止解除片８を含むケース２やの凹部１４を正面３側と背面４側とに対し線対称にして形成し、且つホイッスル本体１５の凸部１６の表面１６ａおよび裏面１６ｂを、筒状部２０に対してに対して線対称にして形成することで、左右何れの利きの使用者に対しても、共通に利用できる形態にしても良い。
【産業上の利用可能性】
【００２２】
本考案によれば、身体のどこにでも容易に吊り下げられ、非常時には極く簡単な操作によって迅速にホイッスルとして用いられ、衛生的であり、且つ全体のサイズを従来のホイッスルよりも一層小型化できるホイッスルを確実に提供できる。
【符号の説明】
【００２３】
１ａ，１ｂ…………ホイッスル
２……………………ケース
５ａ，５ｂ…………ケースの側面
６……………………ケースの上端側（他端側）
８……………………係止解除片
９（９ａ，９ｂ）…受け入れ溝
１１…………………段部
１２…………………ケースの下端側（一端側）
１４…………………凹部
１５…………………ホイッスル本体
１６…………………凸部
１７…………………吹き込み孔
１８ａ，１８ｂ……凸部の側面
１９…………………エア排出孔
２０…………………筒状部
２０ａ………………共鳴室
２１…………………係止脚
２３…………………係止片
Ｃ……………………クリップ
Ｓ……………………ストラップ
【図１】
0003197253.tif 000003
【図２】
0003197253.tif 000004
【図３】
0003197253.tif 000005
【図４】
0003197253.tif 000006
【図５】
0003197253.tif 000007
【図６】
0003197253.tif 000008
【図７】
0003197253.tif 000009
【図８】
0003197253.tif 000010
【図９】
0003197253.tif 000011